(57)【要約】【課題】親局と子局とが接近したときに警報を発報する接近警報システムにおいて、接近した子局を特定可能とする。【解決手段】一又は複数の親局と一又は複数の子局とが接近したときに警報を発報する接近警報システムにおいて、子局制御部は、子局トリガー受信部が警報トリガーＩＤを受信した場合は、当該警報トリガーＩＤを含み、自身を識別する子局ＩＤを含まない第一子局情報を前記子局情報送信部から送信させるとともに、子局警報発報部から警報を発報させ、子局トリガー受信部が子局特定トリガーＩＤを受信した場合は、当該子局特定トリガーＩＤ、及び自身を識別する子局ＩＤを含む第二子局情報を子局情報送信部から送信させるとともに、子局警報発報部からは警報を発報させない。親局制御部は第二子局情報中に含まれる子局特定トリガーＩＤが自身の子局特定トリガーＩＤと一致した場合に当該子局ＩＤを有する子局が接近していることを特定する。【選択図】図３
2020177421.tif 000002
【特許請求の範囲】
【請求項１】
一又は複数の親局と、一又は複数の子局とが接近したときに警報を発報する接近警報システムであって、
前記親局はそれぞれ、自身を識別するとともに警報を発報するための警報トリガーＩＤ、及び自身を識別するとともに子局を特定するための子局特定トリガーＩＤを送信するトリガー送信部を有し、
前記子局はそれぞれ、前記親局から送信された警報トリガーＩＤ及び子局特定トリガーＩＤを受信可能な子局トリガー受信部と、子局情報送信部と、子局警報発報部と、子局制御部とを有し、
前記子局制御部は、
前記子局トリガー受信部が前記警報トリガーＩＤを受信した場合は、当該警報トリガーＩＤを含み、自身を識別する子局ＩＤを含まない第一子局情報を前記子局情報送信部から送信させるとともに、前記子局警報発報部から警報を発報させ、
前記子局トリガー受信部が前記子局特定トリガーＩＤを受信した場合は、当該子局特定トリガーＩＤ、及び自身を識別する子局ＩＤを含む第二子局情報を前記子局情報送信部から送信させるとともに、前記子局警報発報部からは警報を発報させない、接近警報システム。
【請求項２】
前記親局はそれぞれ、前記子局から送信された第一子局情報及び第二子局情報を受信可能な子局情報受信部と、親局制御部とを更に有し、
前記親局制御部は、前記子局情報受信部が受信した第二子局情報中に含まれる子局特定トリガーＩＤが自身の子局特定トリガーＩＤと一致した場合に、当該第二子局情報中に含まれる子局ＩＤを有する子局が接近していることを特定する、請求項１に記載の接近警報システム。
【請求項３】
前記親局はそれぞれ親局警報発報部を更に有し、
前記親局制御部は、前記子局情報受信部が受信した第一子局情報中に含まれる警報トリガーＩＤが自身の警報トリガーＩＤと一致した場合に、前記親局警報発報部から警報を発報させる、請求項２に記載の接近警報システム。
【請求項４】
前記トリガー送信部が送信する警報トリガーＩＤの送信強度と子局特定トリガーＩＤの送信強度が異なる、請求項１から３のいずれか一項に記載の接近警報システム。
【請求項５】
前記親局において、前記トリガー送信部の設置位置と前記子局情報受信部及び前記親局警報発報部の設置位置が異なる、請求項３に記載の接近警報システム。
【請求項６】
前記トリガー送信部は、警報トリガーＩＤ及び子局特定トリガーＩＤをそれぞれ一定パターンで送信する、請求項１から５のいずれか一項に記載の接近警報システム。
【請求項７】
前記親局制御部は、
前記子局情報受信部が前記第一子局情報を受信するまでは、前記トリガー送信部から警報トリガーＩＤのみを送信させ、
前記子局情報受信部が前記第一子局情報を受信したら、前記トリガー送信部から警報トリガーＩＤ及び子局特定トリガーＩＤをそれぞれ一定パターンで送信させる、請求項２に記載の接近警報システム。
【請求項８】
前記子局制御部は、前記子局トリガー受信部が警報トリガーＩＤを受信した後、最初の子局特定トリガーＩＤを受信してから所定回数のみ、前記子局情報送信部から前記第二子局情報を送信させ、それ以降は、前記子局トリガー受信部が子局特定トリガーＩＤを受信しても、前記子局情報送信部から前記第二子局情報を送信させない、請求項１から７のいずれか一項に記載の接近警報システム。
【請求項９】
所定の位置に固定される一又は複数の固定子局を更に備え、前記固定子局はそれぞれ、前記親局から送信された警報トリガーＩＤ及び子局特定トリガーＩＤを受信可能な固定子局トリガー受信部と、固定子局情報送信部と、固定子局制御部とを有し、
前記固定子局制御部は、前記固定子局トリガー受信部が前記子局特定トリガーＩＤを受信した場合に、当該子局特定トリガーＩＤ、及び自身を識別する固定子局ＩＤを含む固定子局情報を前記固定子局情報送信部から送信させ、
前記親局制御部は、前記子局情報受信部が受信した固定子局情報中に含まれる子局特定トリガーＩＤが自身の子局特定トリガーＩＤと一致した場合に、当該固定子局情報中に含まれる固定子局ＩＤを有する固定子局に接近していることを特定する、請求項２に記載の接近警報システム。
【請求項１０】
前記固定子局制御部は、前記固定子局トリガー受信部が前記警報トリガーＩＤを受信した場合には、前記固定子局情報送信部から固定子局情報を送信させない、請求項９に記載の接近警報システム。
【発明の詳細な説明】
【技術分野】
【０００１】
本発明は、例えばフォークリフトやブルドーザなどの移動機器に取り付けられる親局と、例えば作業者に取り付けられる子局とが接近したときに警報を発報する接近警報システムに関する。
【背景技術】
【０００２】
かかる接近警報システムとして、誘導磁界（電磁誘導波）と電波を用いたものが知られており、本願出願人は特許文献１において、移動機器に取り付けられた距離検知制御装置（親局）と作業者に取り付けられた磁界検知機能付きＲＦＩＤタグ（子局）との距離により警報のレベルを変えることを可能とした接近検知システムを開示した。
【０００３】
この特許文献１の接近検知システムは、移動機器（距離検知制御装置）と作業者（磁界検知機能付きＲＦＩＤタグ）との距離により警報のレベルを変えることで、作業者が移動機器に対してどの程度の距離まで接近しているかを把握することができる点で特にメリットがあり、実用化の実績も複数ある。
【先行技術文献】
【特許文献】
【０００４】
【特許文献１】特開２０１３−１４２６７５号公報（特許第５８３５７７号公報）
【発明の概要】
【発明が解決しようとする課題】
【０００５】
本願発明者らは、実用化した特許文献１の接近検知システムのユーザより、移動機器（親局）に接近した作業者（子局）を特定したいというニーズを得た。
【０００６】
そこで本発明が解決しようとする課題は、親局と子局とが接近したときに警報を発報する接近警報システムにおいて、接近した子局を特定可能とすることにある。
【課題を解決するための手段】
【０００７】
本発明の一観点によれば、次の接近警報システムが提供される。
一又は複数の親局と、一又は複数の子局とが接近したときに警報を発報する接近警報システムであって、
前記親局はそれぞれ、自身を識別するとともに警報を発報するための警報トリガーＩＤ、及び自身を識別するとともに子局を特定するための子局特定トリガーＩＤを送信するトリガー送信部を有し、
前記子局はそれぞれ、前記親局から送信された警報トリガーＩＤ及び子局特定トリガーＩＤを受信可能な子局トリガー受信部と、子局情報送信部と、子局警報発報部と、子局制御部とを有し、
前記子局制御部は、
前記子局トリガー受信部が前記警報トリガーＩＤを受信した場合は、当該警報トリガーＩＤを含み、自身を識別する子局ＩＤを含まない第一子局情報を前記子局情報送信部から送信させるとともに、前記子局警報発報部から警報を発報させ、
前記子局トリガー受信部が前記子局特定トリガーＩＤを受信した場合は、当該子局特定トリガーＩＤ、及び自身を識別する子局ＩＤを含む第二子局情報を前記子局情報送信部から送信させるとともに、前記子局警報発報部からは警報を発報させない、接近警報システム。
【発明の効果】
【０００８】
本発明の接近警報システムによれば、子局が、親局から送信された子局特定トリガーＩＤ、及び自身を識別する子局ＩＤを含む第二子局情報を送信することから、親局は、この第二子局情報に基づき接近した子局を特定することができる。
【図面の簡単な説明】
【０００９】
【図１】本発明の一実施形態である接近警報システムの構成を示すブロック図。
【図２】警報トリガーＩＤ及び子局特定トリガーＩＤの一例を示す図。
【図３】図１の接近警報システムの動作の一例を示すタイムチャート。
【図４】固定子局の構成例を示すブロック図。
【図５】親局及び固定子局の動作の一例を示すタイムチャート。
【発明を実施するための形態】
【００１０】
図１に本発明の一実施形態である接近警報システムの構成をブロック図として示している。
この接近警報システムは、親局１０と子局２０とを備えている。
親局１０は例えば移動機器である車両に取り付けられ、子局２０は例えば作業者に取り付けられる。
【００１１】
親局１０は、トリガー送信部１１、子局情報受信部１２、親局警報発報部１３及びこれらを制御する親局制御部１４を有する。
トリガー送信部１１は、自身を識別するとともに警報を発報するための警報トリガーＩＤ、及び自身を識別するとともに子局を特定するための子局特定トリガーＩＤを、例えば誘導磁界（電磁誘導波）として送信する。
図２に、警報トリガーＩＤ及び子局特定トリガーＩＤの一例を示している。警報トリガーＩＤ及び子局特定トリガーＩＤは８ビットからなり、１ビット目で警報トリガーＩＤか子局特定トリガーＩＤかを識別でき、２〜８ビット目で親局１０自身を識別できる。すなわち、親局が複数ある場合、２〜８ビット目は親局毎に固有であり、各親局は２〜８ビット目で自身を識別する。なお、各親局は、自身の警報トリガーＩＤ及び子局特定トリガーＩＤを記憶している。
子局情報受信部１２は、子局２０から送信された子局情報を受信する。なお、子局２０が送信する子局情報の詳細は後述する。
親局警報発報部１３は、親局制御部１４の制御に基づき警報を発報する。
【００１２】
子局２０は、子局トリガー受信部２１、子局情報送信部２２、子局警報発報部２３及びこれらを制御する子局制御部２４を有する。
子局トリガー受信部２１は、親局１０から送信された警報トリガーＩＤ及び子局特定トリガーＩＤを受信する。
子局情報送信部２２は子局制御部２４の制御に基づき子局情報を送信する。また、子局警報発報部２３は子局制御部２４の制御に基づき警報を発報する。すなわち、子局制御部２４は、子局トリガー受信部２１が警報トリガーＩＤを受信した場合は、当該警報トリガーＩＤを含み、自身を識別する子局ＩＤを含まない第一子局情報を子局情報送信部２２から送信させるとともに、子局警報発報部２３から警報を発報させる。また、子局制御部２４は、子局トリガー受信部２１が子局特定トリガーＩＤを受信した場合は、当該子局特定トリガーＩＤ、及び自身を識別する子局ＩＤを含む第二子局情報を子局情報送信部２２から送信させるとともに、子局警報発報部２３からは警報を発報させない。
なお、子局２０は磁界検知機能付きＲＦＩＤタグで構成することができ、この場合、子局情報送信部２２は第一子局情報及び第二子局情報を、それぞれ例えば電波として送信する。また、この場合、親局１０の子局情報受信部１２は電波を受信可能なアンテナを有する構成とする。
【００１３】
図３に、この接近警報システムの動作の一例をタイムチャートで示している。以下、図１及び図３を参照しつつ、この接近警報システムの動作の一例について説明する。
【００１４】
親局１０のトリガー送信部１１は、図３に示すように警報トリガーＩＤ及び子局特定トリガーＩＤをそれぞれ一定パターンで送信する。これら警報トリガーＩＤ及び子局特定トリガーＩＤは、この親局１０と子局２０とが接近した場合、この子局２０の子局トリガー受信部２１で受信される。そして、この子局２０の子局制御部２４は、子局トリガー受信部２１が警報トリガーＩＤを受信した場合は、当該警報トリガーＩＤを含み、自身を識別する子局ＩＤを含まない第一子局情報を子局情報送信部２２から送信させるとともに、子局警報発報部２３から警報を発報させる。また、子局制御部２４は、子局トリガー受信部２１が子局特定トリガーＩＤを受信した場合は、当該子局特定トリガーＩＤ、及び自身を識別する子局ＩＤを含む第二子局情報を子局情報送信部２２から送信させるとともに、子局警報発報部２３からは警報を発報させない。
一方、親局警報発報部１３からの警報の発報は親局制御部１４の制御に基づき行われる。すなわち、親局１０の親局制御部１４は、この親局１０の子局情報受信部１２が受信した第一子局情報中に含まれる警報トリガーＩＤが自身の警報トリガーＩＤと一致した場合に、親局警報発報部１３から警報を発報させる。なお、親局制御部１４は、子局情報受信部１２が第二子局情報を受信しても、親局警報発報部１３からは警報を発報させない。
【００１５】
このように、この接近警報システムによれば、親局１０と子局２０とが接近したときに、親局警報発報部１３及び子局警報発報部２３からそれぞれ警報を発報するので、親局１０と子局２０とが接近したことを親局１０側及び子局２０側でそれぞれ確実に把握することができる。更にこの接近警報システムによれば、子局２０が、親局１０から送信された子局特定トリガーＩＤ、及び自身を識別する子局ＩＤを含む第二子局情報を送信することから、親局１０は、この第二子局情報に基づき接近した子局を特定することができる。具体的には、親局１０の親局制御部１４は、この親局の子局情報受信部が受信した第二子局情報中に含まれる子局特定トリガーＩＤが自身の子局特定トリガーＩＤと一致した場合に、当該第二子局情報中に含まれる子局ＩＤを有する子局が接近していることを特定することができる。なお、この場合、親局１０の親局制御部１４は、子局と子局ＩＤとを紐付けした情報を予め記憶している。
【００１６】
次に、この接近警報システムの構成及び動作の変形例について説明する。
【００１７】
（１）この接近警報システムにおいて、親局のトリガー送信部が送信する警報トリガーＩＤの送信強度と子局特定トリガーＩＤの送信強度は同じでもよいが、異なるものとすることもできる。例えば、警報トリガーＩＤの送信強度を子局特定トリガーＩＤの送信強度より高くすることで、親局と子局とが接近したときに早期に警報を発報することができる。
【００１８】
（２）この接近警報システムの親局１０において、トリガー送信部１１の設置位置と子局情報受信部１２及び親局警報発報部１３の設置位置は異なるものとすることができる。トリガー送信部１１の設置位置が、子局情報受信部１２及び親局警報発報部１３の設置位置と異なることで、トリガー送信部１１からの警報トリガーＩＤ及び子局特定トリガーＩＤの送信範囲を自由に変更することができる。例えば、車両の後方に警報トリガーＩＤ及び子局特定トリガーＩＤを送信したい場合、送信子局情報受信部１２及び親局警報発報部１３を車両の前部運転席に設置しているとしても、トリガー送信部１１を車両の後部に設置することで、車両の後方に警報トリガーＩＤ及び子局特定トリガーＩＤを送信することができる。
【００１９】
（３）この接近警報システムにおいて親局制御部１４は、トリガー送信部１１から警報トリガーＩＤ及び子局特定トリガーＩＤをそれぞれ一定パターンで送信させるようにしたが、親局制御部１４は、子局情報受信部１２が第一子局情報を受信するまでは、トリガー送信部１１から警報トリガーＩＤのみを送信させ、子局情報受信部１２が第一子局情報を受信したら、トリガー送信部１１から警報トリガーＩＤ及び子局特定トリガーＩＤをそれぞれ一定パターンで送信させるようにすることもできる。このように子局情報受信部１２が第一子局情報を受信するまでは警報トリガーＩＤのみを送信するようにすることで、親局と子局とが接近したときに早期に警報を発報することができる。
【００２０】
（４）この接近警報システムにおいて子局制御部２４は、子局トリガー受信部２１が子局特定トリガーＩＤを受信した場合、常に第二子局情報を子局情報送信部２２から送信させるようにしたが、子局制御部２４は、子局トリガー受信部２１が警報トリガーＩＤを受信した後、最初の子局特定トリガーＩＤを受信してから所定回数（例えば１〜３回）のみ、子局情報送信部２２から第二子局情報を送信させ、それ以降は、子局トリガー受信部２１が子局特定トリガーＩＤを受信しても、子局情報送信部２２から第二子局情報を送信させないようにすることもできる。第二子局情報は接近した子局を特定するための情報であるから、子局トリガー受信部２１が警報トリガーＩＤを受信した後、最初の子局特定トリガーＩＤを受信してから所定回数のみ送信すれば十分であり、それ以降は、子局特定トリガーＩＤを受信しても第二子局情報を送信しないようにすることで、子局から親局への情報送信の回数を低減でき省エネルギーを図ることもできる。
【００２１】
次に、親局及び子局に加えて固定子局を備える接近警報システムの実施形態について説明する。
【００２２】
図４に固定子局の構成例をブロック図として示している。
この固定子局３０は建造物等の所定の位置に固定されるもので、固定子局トリガー受信部３１、固定子局情報送信部３２及びこれらを制御する固定子局制御部３３を有する。
固定子局トリガー受信部３１は、親局１０から送信された警報トリガーＩＤ及び子局特定トリガーＩＤを受信する。
固定子局情報送信部３２は固定子局制御部３３の制御に基づき固定子局情報を送信する。すなわち、固定子局制御部３３は、固定子局トリガー受信部３１が子局特定トリガーＩＤを受信した場合に、当該子局特定トリガーＩＤ、及び自身を識別する固定子局ＩＤを含む固定子局情報を固定子局情報送信部３２から送信させる。なお、固定子局２０は磁界検知機能付きＲＦＩＤタグで構成することができ、この場合、固定子局情報送信部３２は、固定子局情報を例えば電波として送信する。
【００２３】
固定子局情報送信部３２から送信された固定子局情報は、この親局１０の子局情報受信部１２（図１参照）で受信される。このときの親局１０及び固定子局３０の動作の一例を図５にタイムチャートで示している。以下、図１、図４及び図５を参照しつつ、この動作の一例について説明する。
【００２４】
親局１０のトリガー送信部１１は、図３に示すように警報トリガーＩＤ及び子局特定トリガーＩＤをそれぞれ一定パターンで送信する。これら警報トリガーＩＤ及び子局特定トリガーＩＤは、この親局１０が固定子局３０に接近した場合、この固定子局３０の固定子局トリガー受信部３１で受信される。そして、この固定子局３０の固定子局制御部３３は、固定子局トリガー受信部３１が子局特定トリガーＩＤを受信した場合に、当該子局特定トリガーＩＤ、及び自身を識別する固定子局ＩＤを含む固定子局情報を固定子局情報送信部３２から送信させる。なお、固定子局制御部３３は、固定子局トリガー受信部３１が警報トリガーＩＤを受信した場合には、固定子局情報送信部３２から固定子局情報を送信させない。また、固定子局３０は警報発報機能を備えていない（備える必要がない）ので、固定子局３０側で警報が発報されることはない
一方、親局１０の親局制御部１４は、子局情報受信部１２が受信した固定子局情報中に含まれる子局特定トリガーＩＤが自身の子局特定トリガーＩＤと一致した場合に、自身が当該固定子局情報中に含まれる固定子局ＩＤを有する固定子局に接近していることを特定する。そして、親局１０の親局制御部１４は、固定子局ＩＤとその固定子局の位置とを紐付けした情報を予め記憶しておくことで、固定子局情報に基づき自身の位置を把握することができる。なお、親局１０の親局制御部１４は、子局情報受信部１２が固定子局情報を受信したとしても、親局警報発報部１３からは警報を発報させない。
【００２５】
以上の動作説明では、便宜上、親局１０、子局２０及び固定子局３０がそれぞれ一の場合について説明したが、親局１０、子局２０及び固定子局３０がそれぞれ複数の場合にも同様の動作となることは、当業者であれば容易に理解できることである。
【符号の説明】
【００２６】
１０  親局
１１  トリガー送信部
１２  子局情報受信部
１３  親局警報発報部
１４  親局制御部
２０  子局
２１  子局トリガー受信部
２２  子局情報送信部
２３  子局警報発報部
２４  子局制御部
３０  固定子局
３１  固定子局トリガー受信部
３２  固定子局情報送信部
３３  固定子局制御部
【図１】
2020177421.tif 000003
【図２】
2020177421.tif 000004
【図３】
2020177421.tif 000005
【図４】
2020177421.tif 000006
【図５】
2020177421.tif 000007